(57)【要約】【課題】直交するように接続する胴縁が同じ形状の部材であっても接続することができるようにする。【解決手段】一方の胴縁１に対して他方の胴縁１を直交するように配置してＴ字状に交差させた状態で胴縁１同士を接続するための胴縁接続金具Ａである。そして他方の胴縁１の長手方向の端部からこの胴縁１内に挿入される挿入部２と、この挿入部２の端部に一体に設けられて断面略コ字状の一方の胴縁１の側片３に引っ掛け係止し得る引っ掛け片４とからなる。【選択図】        図１
2005307661.tif 000002
【特許請求の範囲】
【請求項１】
一方の胴縁に対して他方の胴縁を直交するように配置してＴ字状に交差させた状態で胴縁同士を接続するための胴縁接続金具であって、他方の胴縁の長手方向の端部からこの胴縁内に挿入される挿入部と、この挿入部の端部に一体に設けられて断面略コ字状の一方の胴縁の側片に引っ掛け係止し得る引っ掛け片とから成ることを特徴とする胴縁接続金具。
【請求項２】
引っ掛け片を一方の胴縁の側片に引っ掛け係止した状態でこの側片の外面に弾接する押圧片が挿入部から連出されたことを特徴とする請求項１記載の胴縁接続金具。
【請求項３】
断面略コ字状の胴縁の側片の先端の内方に突出するリップ片に係止する係止突部を引っ掛け片に設けたことを特徴とする請求項１または請求項２記載の胴縁接続金具。  
【請求項４】
外壁の外面に縦胴縁を外壁の開口部のある部分を除いて外壁の上下方向に亙るように取着し、外壁の開口部のある部分の上下に横胴縁を架設してこの横胴縁の端部を開口部の左右の縦胴縁と請求項１乃至請求項３いずれかに記載の胴縁接続金具で接続し、開口部の上下に位置する縦胴縁の端部を上記横胴縁に請求項１乃至請求項３のいずれかに記載の胴縁接続金具にて接続したことを特徴とする外壁への胴縁取り付け構造。
【発明の詳細な説明】
【技術分野】
【０００１】
本発明は、外壁の外面に取り付ける胴縁を直交するように接続する胴縁接続金具と、それを用いて外壁に胴縁を取り付ける構造に関するものである。
【背景技術】
【０００２】
従来から建物の外壁の外面に胴縁を取り付け、胴縁の外面側に胴縁を下地として外装材を貼って施工されている。このとき建物の外壁の外面に縦胴縁と横胴縁とを格子状に取り付けられる場合があり、直交するように配置した縦胴縁と横胴縁とが接続されるようになっている（例えば、特許文献１参照）。
【特許文献１】特開平９−１４４２７０号公報
【発明の開示】
【発明が解決しようとする課題】
【０００３】
ところで、上記従来例では縦胴縁に上下方向に亙るように嵌合部を設けてあり、横胴縁の長手方向の両端に嵌合部に嵌合結合し得る被嵌合部を設けてあり、嵌合部に被嵌合部を嵌合して縦胴縁に横胴縁の端部を結合してあり、縦胴縁と横胴縁としては異なる複雑な部材を用意しなければならなく、部材的にコストアップとなるという問題がある。
【０００４】
本発明は上記の従来の問題点に鑑みて発明したものであって、直交するように接続する胴縁が同じ形状の部材であっても接続することができる胴縁接続金具とそれを用いた外壁への胴縁取り付け構造を提供することを課題とするものである。
【課題を解決するための手段】
【０００５】
上記課題を解決するために本発明の請求項１の胴縁接続金具Ａは、一方の胴縁１に対して他方の胴縁１を直交するように配置してＴ字状に交差させた状態で胴縁１同士を接続するための胴縁接続金具であって、他方の胴縁１の長手方向の端部からこの胴縁１内に挿入される挿入部２と、この挿入部２の端部に一体に設けられて断面略コ字状の一方の胴縁１の側片３に引っ掛け係止し得る引っ掛け片４とから成ることを特徴とする。一方の胴縁１に対して他方の胴縁１を直交するように配置し、胴縁接続金具Ａの引っ掛け片４を一方の胴縁１の側片３に引っ掛け係止し、他方の胴縁１の端部からこの胴縁１内に挿入部２を挿入することで胴縁接続金具Ａにて胴縁１同士を接続できる。このとき、胴縁１とは別体の胴縁接続金具Ａにて胴縁１同士を接続するため、一対の胴縁が同じ形状の部材であっても接続することができる。また胴縁接続金具Ａの一方の胴縁１の側片３に引っ掛け片４を引っ掛け係止すると共に胴縁接続金具Ａの挿入部２を他方の胴縁１の端部から胴縁１内に挿入するだけで一対の胴縁１を胴縁接続金具Ａにて簡単に接続できる。
【０００６】
また本発明の請求項２の胴縁接続金具Ａは、請求項１において、引っ掛け片４を一方の胴縁１の側片３に引っ掛け係止した状態でこの側片３の外面に弾接する押圧片５が挿入部２から連出されたことを特徴とする。この場合、一方の胴縁１の側片３に胴縁接続金具Ａの引っ掛け片４を引っ掛け係止した状態で押圧片５が胴縁１の側片３の外面に弾接して引っ掛け片４と押圧片５とで側片３が挟持されて引っ掛け片４が外れないように連結される。
【０００７】
また本発明の請求項３の胴縁接続金具Ａは、請求項１または請求項２において、断面略コ字状の胴縁１の側片３の先端の内方に突出するリップ片６に係止する係止突部７を引っ掛け片４に設けたことを特徴とする。この場合、胴縁１の側片３のリップ片６に係止突部７を係止させて引っ掛け片４の引っ掛け係止が外れないように胴縁１に胴縁接続金具Ａを取り付けることができる。またこのとき胴縁接続金具Ａを胴縁１の方に押して押圧片５を撓ませることにより引っ掛け片４の係止を緩めて胴縁１の長手方向に胴縁接続金具Ａをスライドさせることができるが、係止突部７にて引っ掛け片４が外れないようにスライドさせることができ、胴縁接続金具Ａの接続位置の調整が容易にできる。  
【０００８】
また本発明の請求項４の外壁への胴縁取り付け構造は、外壁８の外面に縦胴縁１ａを外壁８の開口部９のある部分を除いて外壁８の上下方向に亙るように取着し、外壁８の開口部９のある部分の上下に横胴縁１ｂ架設してこの横胴縁１ｂの端部を開口部９の左右の縦胴縁１ａと請求項１乃至請求項３のいずれかに記載の胴縁接続金具Ａで接続し、開口部９の上下に位置する縦胴縁１ａの端部を上記横胴縁１ｂに請求項１乃至請求項３いずれかに記載の胴縁接続金具Ａにて接続したことを特徴とする。外壁８に開口部９があっても開口部９の周りに胴縁１を胴縁接続金具Ａによる接続にて取り付けることができる。これにより開口部９の周りに釘、ビス等の固着具の打入で固定するもののように開口部９の周縁に割れが発生したりすることなく、胴縁１を強固に取り付けることができる。
【発明の効果】
【０００９】
本発明は叙述の如く構成されているので、一方の胴縁に対して他方の胴縁を直交するように配置し、胴縁接続金具の引っ掛け片を一方の胴縁の側片に引っ掛け係止し、他方の胴縁の端部からこの胴縁内に挿入部を挿入することで胴縁接続金具にて胴縁同士を接続できるものであって、胴縁とは別体の胴縁接続金具にて胴縁同士を接続するため、一対の胴縁が同じ形状の部材であっても接続することができるという効果があり、また胴縁接続金具の一方の胴縁の側片に引っ掛け片を引っ掛け係止すると共に胴縁接続金具の挿入部を他方の胴縁の端部から胴縁内に挿入するだけで一対の胴縁を胴縁接続金具にて簡単に接続できるという効果がある。
【発明を実施するための最良の形態】
【００１０】
以下、本発明を添付図面に示す実施形態に基いて説明する。胴縁１は亜鉛メッキ鋼板のような金属板で図５に示すように断面略コ字状に形成され、底片１０と両側の側片３とを有している。本例の場合、両側の側片３から内方に突出するようにリップ片６を突設してあり、リップ片６の先端に底片１０の方向に向けて突出するように折曲縁１１を設けてある。この胴縁１は外壁８の外面側に取り付けられ、後述する外装材１２を取り付けるときの下地として用いられるものであり、縦胴縁１ａと横胴縁１ｂとがある。
【００１１】
一対の胴縁１をＴ字状に交差させて接続する胴縁接続金具Ａは図１乃至図４に示すように亜鉛メッキ鋼板のような金属板にて形成されており、挿入部２と引っ掛け片４とで主体が構成されている。挿入部２は底片２ａと両側の側片２ｂとで断面略コ字状に形成されている。この挿入部２の外寸法は胴縁１の内寸法よりやや小さい寸法に形成されており、挿入部２を胴縁１内に挿入できるようになっている。この挿入部２の長手方向の一端側で側片２ｂには傾斜面１３が設けられており、傾斜面１３が挿入部２を胴縁１の端部から胴縁１内に挿入しやすくするためのガイドの役目を果たすようになっている。挿入部２の他端側で底片２ａから一体になるように引っ掛け片４を連出してある。この引っ掛け片４は底片２の端部から垂直に突設した縦片部４ａと、縦片部４ａの先端から挿入部２と反対側に向けて底片２ａと平行に突出する横片部４ｂと、横片部４ｂの先端から縦片部４ａと平行になるように垂直に連出した縦片部４ｃにて断面略逆Ｕ字状に形成されている。縦片部４ｃの下部には縦片部４ａの方向に向けて突出する断面略逆く字状の係止突部７を縦片部４ｃの全長に亙って設けてある。また図１、図２に示す胴縁接続金具Ａでは挿入部２の引っ掛け片４側の端部で側片２ｂから外方に向けて略直角に突出する押圧片５を一体に連出してあり、この押圧片５に弾性力を付与するために押圧片５を断面円弧状にしてある。
【００１２】
一方の胴縁１に他方の胴縁１を直交させてＴ字状に交差するように接続する場合、一方の胴縁１に対して胴縁接続金具Ａを直交するように配置し、図６に示すように胴縁接続金具Ａの引っ掛け片４を一方の胴縁１の側片３の先端部分に引っ掛け係止し、他方の胴縁１の端部から胴縁１内に挿入部２を挿入して接続する。引っ掛け片４を側片３の先端に引っ掛け係止したとき、図７（ａ）に示すように側片３のリップ片６の係止縁１１に係止突部７が係止して引っ掛け片４が外れないように確実に胴縁接続金具Ａが取り付けられる。また図１や図２の胴縁接続金具Ａの場合、引っ掛け片４を引っ掛けた状態で押圧片５が側片３の外面に弾接して引っ掛け片４と押圧片５で側片３が挟持され、一層引っ掛け係止が外れないように確実に取り付けられる。この場合、胴縁接続金具Ａを引っ掛け片５を引っ掛けた胴縁１の方に押すと、押圧片５が撓んで図７（ａ）の状態から図７（ｂ）の状態のように係止突部７の係止が緩み、胴縁１の長手方向に胴縁接続金具Ａをスライドさせて胴縁接続金具Ａの位置を調整できるが、係止突部７にて引っ掛け片４が外れないように胴縁接続金具Ａをスライドさせることができる。
【００１３】
建物の外壁８の外面側に胴縁１を取り付けて外装材１２を取り付けるための下地を形成する場合、次のように行われる。胴縁１として縦胴縁１ａと横胴縁１ｂとがあるが、いずれも底片１０を外壁８側に向けると共に開口を屋外側に向けて取り付けられる。図８に示すように外壁８の下部には横胴縁１ｂが水平方向に架設され、底片１０から釘、ビス等の固着具を打入して固着される。下部に取り付けた横胴縁１ｂの上の側片３には胴縁接続金具Ａが引っ掛け片４を引っ掛け係止することで挿入部２が上方に突出するように取り付けられ、横胴縁１ｂの長手方向に間隔を隔てて複数個の胴縁接続金具Ａが取り付けられる。この下部の横胴縁１ｂの上には縦胴縁１ａが配置され、図１０に示すように縦胴縁１ａの下端から挿入部２が縦胴縁１ａ内に挿入されて縦胴縁１ａが夫々接続される。このように縦胴縁１ａを接続するとき、隣合う縦胴縁１ａの間は定規棒１５を介在して隣合う縦胴縁１間の間隔が一定になるように調整される。このとき横胴縁１ｂに対して胴縁接続金具Ａを横胴縁１ｂの長手方向にスライドさせて胴縁接続金具Ａの位置が調整される。そして複数本の縦胴縁１ａの底片１０から釘、ビス等の固着具２５を打入することで縦胴縁１ａが取り付けられる。上記のように複数本の縦胴縁１ａを胴縁接続金具Ａで下部の横胴縁１ｂに接続することにより、縦胴縁１ａの仮施工が完了するため、従来の下地施工に比べ、時間短縮を図ることが可能となる。
【００１４】
また上記外壁８の場合、外壁８に開口部９を設けてあり、この開口部９のある部分では開口部９を飛ばして縦胴縁１ａが取り付けられる。開口部９の左右両側の上下方向に亙る縦胴縁１ａ間には開口部９の上縁及び下縁に沿って横胴縁１ｂが架設され、この横胴縁１ｂの両端が縦胴縁１ａに胴縁接続金具Ａにて接続される。開口部９の上縁に沿う横胴縁１ｂより上に位置する縦胴縁１ａの下端はこの横胴縁１ｂに胴縁接続金具Ａにて接続される。開口部９の下縁に沿う横胴縁１ｂより下に位置する縦胴縁１ａの上端はこの横胴縁１ｂに胴縁接続金具Ａにて接続される。また開口部９の左右両側縁に沿うように夫々縦胴縁１ａが配置され、この縦胴縁１ａの上下の端部が開口部９の上下の横胴縁１ｂに胴縁接続金具Ａにて接続され、図１１に示すように開口部９の周囲が縦胴縁１ａと横胴縁１ｂにて囲まれ、開口部９の周囲に窓枠１６が取り付けられる。ところで外壁８の外面がＡＬＣ等で形成されており、開口部の周縁に胴縁を釘、ビス等の固着具の打入で取り付けようとした場合、ＡＬＣ等が割れたりして胴縁１の保持強度が低下するおそれがあるが、上記のように開口部９の周囲に縦胴縁１ａや横胴縁１ｂを取り付けられるようにすると、胴縁接続金具Ａによる接続で取り付けることができ、固着具を打入するもののように割れたりすることがなくて胴縁１の取り付け強度が低下することがない。
【００１５】
なお、図８で○印で示す接続部は図９（ａ）に示すように縦方向を向けて使用した胴縁接続金具Ａで接続した部分で、図８で△印で示す接続部は図９（ｂ）に示すように横方向に向けて使用した胴縁接続金具Ａで接続した部分である。
【００１６】
上記のように外壁８の外面側に縦胴縁１ａや横胴縁１ｂが取り付けられ、縦胴縁１ａを利用して次のように外装材１２が取り付けられる。外装材１２としては金属表皮内に発泡ウレタン等の断熱材を内包した金属サイディング材や窯業系サイディング材等がある。外装材１２の下端には雌実１７を設けてあり、外装材１２の上端には雌実１７に実結合し得る雄実１８を設けてあり、雄実１８の背面側には取り付け片１９を設けてある。縦胴縁１ａに外装材１２を固定するための固定部材２０は図１５に示すように底片２０ａの両側に側片２０ｂを一体に設けて断面略コ字状に形成されており、側片２０ｂには側方に突出する係止突起２１を設けてあり、底片２０ａには固定片２０ｃを切り起こしにより形成してあり、固定片２０ｃには固定孔２２を穿孔してある。
【００１７】
外壁８の外面側に外装材１２を取り付ける場合、外壁８の縦胴縁１ａの外面に沿わせて外装材１２が下から上に順に貼られて行くが、図１４に示すうように外壁８の外面の最下部に取り付けられた水切り板２３の係止部２６に外装材１２の下端の雌実１７が嵌合され、この外装材１２の上端の雄実１８に上に位置する外装材１２の下端の雌実１７が嵌合され、このようにして下から上に向けて順に外装材１２が貼り並べられる。上に位置する外装材１２の雌実１７を下に位置する外装材１２の上端の雄実１８に嵌合する前に外装材１２の上端は固定部材２０にて縦胴縁１ａに取り付けられる。固定部材２０は底片２０ａが屋外側を向くように配置され、固定部材２０の両側の側片２０ｂが縦胴縁１ａのリップ片６間の開口に圧入され、係止突起２１でリップ片６や折曲縁１１を外に押し広げて係止突起２１を越えさせることで係止突起２１が折曲縁１１に係止するように縦胴縁１ａに固定部材２０が取り付けられる。このように固定部材２０が取り付けられることにより縦胴縁１ａに固定部材２０が上下にスライド可能に取り付けられる。そして固定部材２０のスライドにて固定部材２０の底片２０ａと固定片２０ｃとの間に取り付け片１９が挟まれ、固定片２０ｃの固定孔２２から取り付け片１９にビス等の固着具２７が打入されて外装材１２の上端部が図１２や図１３に示すように固定される。外装材１２を取り付けた後に、左右に隣り合う外装材１２の間の外面側にはカバー部材２８が取り付けられる。
【図面の簡単な説明】
【００１８】
【図１】本発明の実施の形態の一例の胴縁接続金具の斜視図である。
【図２】同上の胴縁接続金具を示し、（ａ）は平面図、（ｂ）は正面図、（ｃ）は側面図である。
【図３】同上の引っ掛け片部分の拡大図である。
【図４】同上の他の胴縁接続金具を示し、（ａ）は平面図、（ｂ）は正面図、（ｃ）は側面図である。
【図５】同上の胴縁を示す断面図である。
【図６】同上の胴縁を胴縁接続金具で連結する状態を説明する図であって、（ａ）は正面図、（ｂ）は側面図である。
【図７】（ａ）は同上の胴縁接続金具の引っ掛け片を胴縁の側片の先端に引っ掛け係止した状態を示す断面図、（ｂ）は（ａ）の状態から押圧片を撓ませた状態の断面図である。、
【図８】同上の外壁の外面側に縦胴縁や横胴縁を取り付けた状態の概略正面図である。
【図９】（ａ）は図８の○印の部分の接続状態を示す斜視図、（ｂ）は図８の△印の部分の接続状態を示す斜視図である。
【図１０】図８の下部の横胴縁と縦胴縁の下部との接続状態を示す斜視図である。
【図１１】同上の外壁の開口部の周りの状態を説明する正面図である。
【図１２】同上の外装材の取り付け状態の要部の平面から見た断面図である。
【図１３】同上の外装材の取り付け状態の要部の側面から見た断面図である。
【図１４】同上の外装材の取り付け状態を示す斜視図である。
【図１５】同上の固定部材の斜視図である。
【符号の説明】
【００１９】
Ａ  胴縁接続金具  
１  胴縁
１ａ  縦胴縁
１ｂ  横胴縁
２  挿入部
３  側片
４  引っ掛け片
５  押圧片
６  リップ片
７  係止突部
８  外壁  
９  開口部
【図１】
2005307661.tif 000003
【図２】
2005307661.tif 000004
【図３】
2005307661.tif 000005
【図４】
2005307661.tif 000006
【図５】
2005307661.tif 000007
【図６】
2005307661.tif 000008
【図７】
2005307661.tif 000009
【図８】
2005307661.tif 000010
【図９】
2005307661.tif 000011
【図１０】
2005307661.tif 000012
【図１１】
2005307661.tif 000013
【図１２】
2005307661.tif 000014
【図１３】
2005307661.tif 000015
【図１４】
2005307661.tif 000016
【図１５】
2005307661.tif 000017